(57)【特許請求の範囲】
【請求項１】
リアケースと、表示窓を有するフロントケースとを一体的に組み付けることにより形成されるケースと、該ケース内に配置される液晶表示装置と、該液晶表示装置を内側に収容する液晶ホルダとを備える携帯端末装置において、
前記液晶ホルダは、前記フロントケースと前記リアケースとにより前記ケースの厚さ方向で挟持されて、前記リアケースにより支持される部位が、前記フロントケースにより支持される部位に対して、前記厚さ方向とは垂直な方向で異なる位置に配設されている
ことを特徴とする携帯端末装置。
【請求項２】
前記液晶ホルダは、前記リアケースにより支持される部位が、前記フロントケースにより支持される部位に対して、前記厚さ方向とは垂直な方向で前記ケース外周側に配設されている
ことを特徴とする請求項１に記載の携帯端末装置。
【請求項３】
前記液晶ホルダは、前記リアケースにより支持される部位として、側面より外側に突出する凸部を有する
ことを特徴とする請求項１又は２に記載の携帯端末装置。
【請求項４】
前記液晶ホルダは、前記リアケースにより支持される部位が、前記リアケースにより前記フロントケース側に向けて押圧される
ことを特徴とする請求項１乃至３のいずれか１項に記載の携帯端末装置。
【請求項５】
前記液晶ホルダは、前記フロントケースにより支持される部位が、弾性体を介して前記フロントケースにより支持される
ことを特徴とする請求項１乃至４のいずれか１項に記載の携帯端末装置。
【請求項６】
前記液晶ホルダは、前記リアケースにより支持される部位が、前記液晶ホルダの前記リアケース側のうち、液晶表示装置が占める部位を除く領域に配置されている
ことを特徴とする請求項１乃至５のいずれか１項に記載の携帯端末装置。
【請求項７】
前記液晶ホルダの前記リアケース側には板金及びグランドラインを有するフレキシブル配線基板をこの順に有し、前記板金とフレキシブル配線基板のグランドラインとを導通させてあることを特徴とする請求項６に記載の携帯端末装置。
【発明の詳細な説明】
【技術分野】
【０００１】
本発明は、例えば携帯電話機等のように、文字や画像等を表示させることができる液晶ディスプレイ(液晶表示装置)等の表示部を備えた携帯端末装置に関するものである。
【背景技術】
【０００２】
従来の携帯端末装置としては、例えば図９に示すように、ＬＣＤ（液晶ディスプレイ）等の表示部６を備えて、この表示部６に文字や図形等の画像を表示させることができる携帯電話機２０があった。このような従来の携帯電話機２０は、同図に示すように、その筐体１４に表示部６、操作部８、スピーカー１０、及びマイクロホン１２を備えている。
【０００３】
操作部８は、テンキー８ａ、オフフックキー８ｂ、オンフックキー８ｃ、円環形状の上下左右方向キー８ｄ、及びこの上下左右方向キー８ｄの円環形状の内側に配置される決定キー８ｅを有している。このような操作部８のテンキー８ａを操作することにより、携帯電話機２０に数字データを入力することができると共に、数字以外の文字データを入力することもできるようになっている。
【０００４】
また、図示しないが、表示部６に複数の項目のメニュー等が表示されているときには、このメニュー内の各項目を指すカーソル等を、上下左右方向キー８ｄの操作で上下左右方向に移動させて前記項目を選択し、決定キー８ｅを操作することにより、上記選択した項目を機能的に指定することができるようになっている。
【０００５】
図１０は、携帯電話機２０の分解斜視図であり、特に、ＬＣＤ５とＬＣＤホルダ７とで構成されるＬＣＤ部の分解の様子を示している。携帯電話機２０本体の外装部は、前面ケース１４ａと背面ケース１４ｂとから構成される。
【０００６】
携帯電話機２０の組立時は、ＬＣＤ５をＬＣＤホルダ７内に配置するにあたって、両者間にスポンジやゴム等からなる弾性体３を介在させた上で、ＬＣＤホルダ７を回路基板９上の所定の位置に固定する。すなわちＬＣＤ部は、ＬＣＤ５とＬＣＤホルダ７との間に緩衝材としての弾性体３が介在されて構成されている(例えば、特許文献１参照)。
【０００７】
また、前面ケース１４ａのＬＣＤ５に対応する窓部には、ＬＣＤ５を保護するための透明なパネル２が嵌め込まれると共に、その窓部の裏側には緩衝材としてのスポンジ４が貼り付けられる。
【０００８】
次に、ＬＣＤホルダ７を介してＬＣＤ５が取り付けられた板状の回路基板９を、前面ケース１４ａと背面ケース１４ｂとで挟み込むようにして、前面ケース１４ａと背面ケース１４ｂとの接触部同士を貼り合わせる。このようにして携帯電話機２０を組立てて完成することができる。
【０００９】
図１１は、図９における携帯電話機２０のＡ−Ａ線断面図であり、携帯電話機２０を組立てたときの各部の配置の状態を示している。すなわち、前面ケース１４ａのＬＣＤ５対応部分の窓部には、ＬＣＤ５を保護するための透明なパネル２が嵌め込まれ、ＬＣＤ５の下面とＬＣＤホルダ７の底板との間には弾性体３が介在されて構成されている。また、前面ケース１４ａとＬＣＤホルダ７の周部との間にはスポンジ４が介在されて構成されている。
【００１０】
このような従来の携帯電話機２０にあっては、ＬＣＤ５を備えるＬＣＤホルダ７を弾性体３とスポンジ４を介してケース内に収容することにより、落下時等の外力が加わったとしてもＬＣＤ５自体に外力が加わってそれが破損するのを防止するようになっていた。
【特許文献１】特開２００４−１１２３０５号公報
【発明の開示】
【発明が解決しようとする課題】
【００１１】
しかしながら、上記のような従来の携帯電話機２０にあっては、ＬＣＤ５の下面とＬＣＤホルダ７の底板との間に弾性体３が介在すること、及びＬＣＤホルダ７の下に板状の回路基板９が介在することにより、携帯電話機２０の厚さが厚くなってしまい、その厚さを薄くして携帯電話機２０の小型化を図りたいというニーズを達成することができないという問題があった。
【００１２】
そこで本発明は、上記問題点に鑑みて、液晶表示装置に外力が加わって破損することを防止することができると共に、携帯端末装置の厚さを薄くすることができる携帯端末装置を提供することを課題とするものである。
【課題を解決するための手段】
【００１３】
上記課題を解決するために、本発明の携帯端末装置は、
リアケースと、表示窓を有するフロントケースとを一体的に組み付けることにより形成されるケースと、該ケース内に配置される液晶表示装置と、該液晶表示装置を内側に収容する液晶ホルダとを備える携帯端末装置において、
前記液晶ホルダは、前記フロントケースと前記リアケースとにより前記ケースの厚さ方向で挟持されて、前記リアケースにより支持される部位が、前記フロントケースにより支持される部位に対して、前記厚さ方向とは垂直な方向で異なる位置に配設されていることを特徴とするものである。
また、
本発明の携帯端末装置は、
前記液晶ホルダは、前記リアケースにより支持される部位が、前記フロントケースにより支持される部位に対して、前記厚さ方向とは垂直な方向で前記ケース外周側に配設されていることを特徴とするものである。
【００１４】
また、本発明の携帯端末装置は、前記液晶ホルダは、前記リアケースにより支持される部位として、側面より外側に突出する凸部を有することを特徴とするものである。
また、
本発明の携帯端末装置は、前記液晶ホルダは、前記リアケースにより支持される部位が、前記リアケースにより前記フロントケース側に向けて押圧されることを特徴とするものである。
【００１５】
また、本発明の携帯端末装置は、前記液晶ホルダは、前記フロントケースにより支持される部位が、弾性体を介して前記フロントケースにより支持されることを特徴とするものである。
また、
本発明の携帯端末装置は、前記液晶ホルダは、前記リアケースにより支持される部位が、前記液晶ホルダの前記リアケース側のうち、液晶表示装置が占める部位を除く領域に配置されていることを特徴とするものである。
【００１６】
また、本発明の携帯端末装置は、前記液晶ホルダの前記リアケース側には板金及びグランドラインを有するフレキシブル配線基板をこの順に有し、前記板金とフレキシブル配線基板のグランドラインとを導通させてあることを特徴とするものである。
【発明の効果】
【００１７】
このような本発明の携帯端末装置によれば、液晶表示装置に外力が加わって破損することを防止することができると共に、携帯端末装置の厚さが厚くなることを防止することができる。
【発明を実施するための最良の形態】
【００１８】
以下、本発明に係る携帯端末装置を実施するための最良の形態について、図面に基づいて具体的に説明する。図１ないし図８は、本発明の一実施の形態に係る携帯電話機３０（携帯端末装置に相当）について説明するために参照する図である。
【００１９】
図１に示すように、携帯電話機３０は、前記従来の携帯電話機２０と同様に、表示部６及び操作部８を備えており、操作部８にはテンキー８ａ、オフフックキー８ｂ及びオンフックキー８ｃが配置されている。
【００２０】
携帯電話機３０は折り畳み型の携帯電話機であり、ヒンジ２７を中心にして第１ケース２４と第２ケース２５が開閉自在な構造となっている。第１ケース２４には表示部６及びスピーカー１０が、第２ケース２５には操作部８及びマイクロホン１２が設けられている。
【００２１】
図２は、この携帯電話機３０の回路構成を示すブロック図である。携帯電話機３０は、表示部６、操作部８、スピーカー１０及びマイクロホン１２以外に、無線による通信を行なう通信部１６、記憶部１８、及びこれらを制御する制御部２１を備えている。ここで、通信部１６、スピーカー１０、及びマイクロホン１２は、従来の携帯電話機と同様に動作するものである。
【００２２】
図３は、携帯電話機３０の第１ケース２４を説明するために、図１におけるヒンジ２７から第２ケース２５と分離した第１ケース２４を、ヒンジ２７側を上にして、表示部６と反対側の背面側から見た背面図である。
【００２３】
図４は、第１ケース２４の、表示部６と反対側を構成するリアケース２４ａを上にして、表示部６側を構成するフロントケース２４ｂを下にした状態で、各部品を配置順に示した分解斜視図である。
【００２４】
図５は、図３における第１ケース２４のＡ−Ａ線断面図である。同図に示すように、リアケース２４ａとフロントケース２４ｂを互いに対向させて、それらの周部の互いの接触面を当接させ、不図示のネジにより締結することにより第１ケース２４が組み立てられるようになっている。
第２ケース２５も、同様にして組み立てられるようになっている。
【００２５】
図４〜６に示すように、リアケース２４ａとフロントケース２４ｂとの間には略矩形板状のＬＣＤ５（液晶表示装置）が配置され、リアケース２４ａと、ＬＣＤ５をＬＣＤ収容凹部内に配置した略矩形状のＬＣＤホルダ７（液晶ホルダ）との間には、図中上から順に、グランドラインを有するフレキシブル配線基板２９、上記グランドラインと導通させるＬＣＤ補強板金３１（板金）が配置されている。なお、ＬＣＤ補強板金３１はＬＣＤ５回りに溜まる静電気をグランドラインに逃がす機能をも有している。
【００２６】
また、ＬＣＤ５を内側に配置するＬＣＤホルダ７とフロントケース２４ｂとの間には、ＬＣＤ５の表示面に粉塵等が外部から侵入するのを防止すると共に衝撃を吸収するためのスポンジ枠３３(弾性体)が配置され、フロントケース２４ｂの表示窓２４ｃの周部には、両面接着テープ３７を介して、透明な保護ガラス等のトリムプレート３９が貼設されている。
【００２７】
なお、この実施の形態においてはリアケース２４ａが、第１リアケース２４１と第２リアケース２４２の、２つのケースにより構成され接着により一体化されているが、リアケース２４ａが単体のケースにより構成されていてもよいことはいうまでもない。
【００２８】
図７、８に示すように、ＬＣＤホルダ７の長手方向に沿う両側部それぞれの複数箇所には、その幅方向外側に突出する凸部７ａが左右対称に形成されている。また、図６に示すように、ＬＣＤホルダ７の図中下側には壁部７ｂが形成されている。そして、ＬＣＤ５は壁部７ｂによって囲まれるＬＣＤ収容凹部内に不図示の両面接着シートを介して貼設してある。
【００２９】
図６に示すように、ＬＣＤホルダ７はその凸部７ａが、ポイントＡにおいて、リアケース２４ａの第２リアケース２４２によりフロントケース２４ｂ側に押圧されると共に、前記壁部７ｂの下端が、ポイントＢにおいて、スポンジ板３３を介してフロントケース２４ｂに向かって押圧されることにより、ＬＣＤホルダ７はリアケース２４ａとフロントケース２４ｂとの間に挟まれて固定されている。
【００３０】
このように構成された携帯電話機３０によれば、ＬＣＤホルダ７の底板とＬＣＤ５との間に弾性体３が挟まれる構成とはなっていないので、従来用いられていたようなＬＣＤホルダ７の底板や弾性体３により、携帯電話機３０の厚さが大きくなることを防止することができる。
【００３１】
また、ＬＣＤホルダ７はその両側部それぞれの複数箇所に設けられた凸部７ａを、図６のポイントＡにおいて、リアケース２４ａの第２リアケース２４２に直接接触して押圧されると共に、ＬＣＤホルダ７の壁部７ｂが、図６のポイントＢにおいて、スポンジ板３３を介してフロントケース２４ｂに向かって押圧されて固定されているため、ＬＣＤ５に加わった落下時等の外力を第１ケース２４の複数箇所に分散させることができるので、ＬＣＤ５が外力により破損することを防止することができる。
【００３２】
特に、ＬＣＤホルダ７が隙間無くリアケース２４ａに直接接触して押圧されて固定されるため、外力によるＬＣＤ５の曲げ、歪みの発生を最小限に抑えることができると共に、ＬＣＤ５にかかる外力をそのままＬＣＤ５で受けずに、ＬＣＤ５が固定されているリアケース２４ａの各部に分散し、ＬＣＤ５への負荷を著しく低減させることができる。
【００３３】
なお、前記凸部７ａはＬＣＤホルダ７の両側部それぞれに３つずつあったが、凸部７ａは、ＬＣＤホルダ７の両側部それぞれに２つずつ、又は４つ以上ずつあってもよい。
さらに本実施の形態では凸部７aを設けて、この凸部７aをリアケース２４ａにより押圧する構成としたが、ＬＣＤホルダ７の後面を押圧する構成としても良く、ＬＣＤホルダ７のリアケース２４ａ側のうち、ＬＣＤ５が占める部位を除く領域をリアケース２４ａにより押圧する構成であれば構わない。
【００３４】
また、本実施の形態においては、携帯電話機に本発明を適用した場合について説明したが、ＰＤＡ（Ｐｅｒｓｏｎａｌ  Ｄｉｇｉｔａｌ  Ａｓｓｉｓｔａｎｔ）等のような他の携帯端末装置にも本発明を適用することができることはいうまでもない。
【図面の簡単な説明】
【００３５】
【図１】本発明の一実施の形態に係る携帯電話機３０を示す斜視図である。
【図２】図１に示す携帯電話機３０の回路構成を示すブロック図である。
【図３】図１に示す携帯電話機３０の第１ケース２４を背面側から見た背面図である。
【図４】図３に示す携帯電話機３０の第１ケース２４の分解斜視図である。
【図５】図３に示す第１ケース２４のＡ-Ａ線断面図である。
【図６】図５に示す第１ケース２４の部分拡大断面図である。
【図７】図４に示すＬＣＤホルダ７の斜視図である。
【図８】図４に示すＬＣＤホルダ７から図中下方の部品を組み立てた部分組立平面図である。
【図９】従来の携帯電話機２０を示す平面図である。
【図１０】図９に示す従来の携帯電話機２０の分解斜視図である。
【図１１】図９に示す従来の携帯電話機２０のＡ-Ａ線断面図である。
【符号の説明】
【００３６】
２  パネル
３  弾性体
４  スポンジ
５  ＬＣＤ
６  表示部
７  ＬＣＤホルダ
７ａ  凸部
７ｂ  壁部
８  操作部
８ａ  テンキー
８ｂ  オフフックキー
８ｃ  オンフックキー
８ｄ  上下左右方向キー
８ｅ  決定キー
９  回路基板
１０  スピーカー
１２  マイクロホン
１４  筐体
１４ａ  前面ケース
１４ｂ  背面ケース
１６  通信部
１８  記憶部
２１  制御部
２４  第１ケース
２４ａ  リアケース
２４ｂ  フロントケース
２４ｃ  表示窓
２４１  第１リアケース
２４２  第２リアケース
２５  第２ケース
２７  ヒンジ
２９  フレキシブル配線基板
３０  携帯電話機
３１  ＬＣＤ補強板金
３３  スポンジ板
３７  トリムプレートテープ
３９  トリムプレート
【図１】
0004460500.tif 000002
【図２】
0004460500.tif 000003
【図３】
0004460500.tif 000004
【図４】
0004460500.tif 000005
【図５】
0004460500.tif 000006
【図６】
0004460500.tif 000007
【図７】
0004460500.tif 000008
【図８】
0004460500.tif 000009
【図９】
0004460500.tif 000010
【図１０】
0004460500.tif 000011
【図１１】
0004460500.tif 000012